(57)【要約】【課題】遊技機の電源がオフの時に遊技機の開閉体が開閉操作された場合に、当該開閉操作が即時に発覚するような送信装置を提供する。【解決手段】送信装置１０は、遊技機５０に取り付けられているものであり、発電部１０１および無線送信部１０２を備えている。発電部１０１は、遊技機５０の扉５０１が開閉操作されると、当該開閉操作によって生じる運動エネルギーによって発電する。無線送信部１０２は、発電部１０１が発電した場合、この発電によって得られる電気を用いて、遊技機５０の外部に設置されているサーバ装置３００に対して、前記開閉操作が行われたことを示す開閉操作信号を無線送信する。【選択図】図３
2014121485.tif 000002
【特許請求の範囲】
【請求項１】
遊技機に取り付けられる送信装置であって、
前記遊技機の開閉体を開く開操作および前記開閉体を閉じる閉操作の少なくとも一方である開閉操作が行われると、当該開閉操作によって生じる運動エネルギーによって発電する発電部と、
前記発電部が発電した場合、この発電によって得られる電気を用いて、前記開閉操作が行われたことを示す開閉操作信号を、前記遊技機の外部に設置されるサーバ装置に無線送信する無線送信部とを備えたことを特徴とする送信装置。
【請求項２】
前記開閉操作信号は、前記送信装置を識別するための識別情報を示す信号であることを特徴とする請求項１に記載の送信装置。
【請求項３】
前記発電部は、
磁石と、
前記開閉体が閉ざされている閉状態において前記磁石を吸着する第１磁性体と、
前記開閉体が一定間隔以上開かれている開状態において前記磁石を吸着する第２磁性体と、
前記閉状態から前記開状態に移行するように前記開操作が行われている間、および、前記開状態から前記開状態に移行するように前記閉操作が行われている間に前記開閉体に連動して移動する移動体と、
前記磁石の移動に応じて電磁誘導によって発電するコイルと、
前記磁石および前記移動体に取り付けられる弾性部材とを備え、
前記閉状態から前記開状態に移行するように前記開操作が行われている場合、前記移動体が移動するほど前記弾性部材から前記磁石に与えられる第１弾性力が増加するようになっており、前記移動体が第１所定位置に到達した場合、前記第１弾性力、および、前記磁石と第２磁性体との間に生じる磁力によって、前記磁石が第１磁性体から離されて移動して第２磁性体に吸着するようになっており、
前記開状態から前記閉状態に移行するように前記閉操作が行われている場合、前記移動体が移動するほど前記弾性部材から前記磁石に与えられる第２弾性力が増加するようになっており、前記移動体が第２所定位置に到達した場合、前記第２弾性力、および、前記磁石と第１磁性体との間に生じる磁力によって、前記磁石が第２磁性体から離されて移動して第１磁性体に吸着するようになっていることを特徴とする請求項１または２に記載の送信装置。
【請求項４】
請求項１から３のいずれか１項に記載の送信装置を備えたことを特徴とする遊技機。
【請求項５】
請求項１から３のいずれか１項に記載の送信装置と、前記サーバ装置とを備えたことを特徴とする送信システム。
【発明の詳細な説明】
【技術分野】
【０００１】
本発明は、遊技機に関する。
【背景技術】
【０００２】
下記の特許文献１に示される遊技機は、電源オフの間に開閉体（扉）を閉じる操作が行われた場合、電磁誘導によって電気を発生させ、この電気によって内蔵コンデンサ（遊技機に内蔵されているコンデンサ）の電荷量を変化させるようになっている。これにより、夜間の電源オフ時に不正者が開閉体（扉）を閉じる行為（不正行為）を行うと、当該行為がコンデンサの電圧変化という形で記録される。
【先行技術文献】
【特許文献】
【０００３】
【特許文献１】特開２００９−１６５６５８号公報
【特許文献２】特開２０１２−４３０号公報
【発明の概要】
【発明が解決しようとする課題】
【０００４】
しかし、特許文献１によれば、遊技機の内蔵コンデンサの電圧変化の記録を収集するためには遊技機への電源投入が必要になるため、夜間に遊技機の開閉体を閉じる行為が行われても、当該行為が発覚するのは翌朝の電源投入時以降になり、当該行為が即時に発覚することはない。また、特許文献２の遊技機は、夜間の電源オフ時には一切機能しないため、夜間に遊技機の開閉体を閉じる行為が行われても、当該行為が即時に発覚することはない。
【０００５】
本発明は、遊技機の電源がオフの時に遊技機の開閉体が開閉操作された場合、当該開閉操作が即時に発覚するような送信装置、遊技機、送信システムを提供することを目的とする。
【課題を解決するための手段】
【０００６】
上記の課題を解決するために、本発明は、遊技機に取り付けられる送信装置であって、前記遊技機の開閉体を開く開操作および前記開閉体を閉じる閉操作の少なくとも一方である開閉操作が行われると、当該開閉操作によって生じる運動エネルギーによって発電する発電部と、前記発電部が発電した場合、この発電によって得られる電気を用いて、前記開閉操作が行われたことを示す開閉操作信号を、前記遊技機の外部に設置されるサーバ装置に無線送信する無線送信部とを備えたことを特徴とする。
【０００７】
本発明の構成によれば、前記開閉操作が行われると、前記開閉操作の運動エネルギーから電気を発生させ、この電気を用いて、前記開閉操作されたことを示す開閉操作信号を遊技機の外部のサーバ装置へ無線で送信している。したがって、電源オフの間に不正者によって開閉体が開閉操作された場合、前記開閉操作が行われた事を前記サーバ装置に即時に把握させることになる。それゆえ、前記開閉操作が即時に発覚するという効果を奏する。
【０００８】
また、本発明の送信装置において、前記開閉操作信号は、前記送信装置を識別するための識別情報を示す信号であってもよい。
【０００９】
これにより、前記開閉操作が行われた遊技機をサーバ装置に特定させることができるという効果を奏する。すなわち、遊技機と、当該遊技機に取り付けられている送信装置の識別情報との対応関係を参照すれば、サーバ装置へ送られた開閉操作信号に示される識別情報に対応する送信装置が取り付けられている遊技機を特定でき、このように特定された遊技機が開閉操作された遊技機となる。
【００１０】
また、本発明の送信装置において、前記発電部は、磁石と、前記開閉体が閉ざされている閉状態において前記磁石を吸着する第１磁性体と、前記開閉体が一定間隔以上開かれている開状態において前記磁石を吸着する第２磁性体と、前記閉状態から前記開状態に移行するように前記開操作が行われている間、および、前記開状態から前記開状態に移行するように前記閉操作が行われている間に前記開閉体に連動して移動する移動体と、前記磁石の移動に応じて電磁誘導によって発電するコイルと、前記磁石および前記移動体に取り付けられる弾性部材とを備え、前記閉状態から前記開状態に移行するように前記開操作が行われている場合、前記移動体が移動するほど前記弾性部材から前記磁石に与えられる第１弾性力が増加するようになっており、前記移動体が第１所定位置に到達した場合、前記第１弾性力、および、前記磁石と第２磁性体との間に生じる磁力によって、前記磁石が第１磁性体から離されて移動して第２磁性体に吸着するようになっており、前記開状態から前記閉状態に移行するように前記閉操作が行われている場合、前記移動体が移動するほど前記弾性部材から前記磁石に与えられる第２弾性力が増加するようになっており、前記移動体が第２所定位置に到達した場合、前記第２弾性力、および、前記磁石と第１磁性体との間に生じる磁力によって、前記磁石が第２磁性体から離されて移動して第１磁性体に吸着するようになっている構成であってもよい。
【００１１】
このような構成によれば、移動体が第１所定位置または第２所定位置に到達するまでは磁石は移動せず、移動体が１所定位置または第２所定位置に到着すると、前記弾性力のみならず前記磁力によって磁石が一気に移動するようになっている。そのため、前記磁石の移動速度を略一定化でき、電磁誘導による起電力を安定化させることが可能になる。
【００１２】
また、本発明は、前述した送信装置を備えた遊技機であってもよいし、前述した送信装置とサーバ装置とを備えた送信システムであってもよい。
【発明の効果】
【００１３】
本発明の構成によれば、電源オフの間に不正者によって開閉体が開閉操作された場合、前記開閉操作が行われた事を前記サーバ装置に即時に把握させることになる。それゆえ、前記開閉操作が即時に発覚するという効果を奏する。
【図面の簡単な説明】
【００１４】
【図１】本発明の一実施形態の送信装置と、この送信装置を取り付ける遊技機の一部分とを示した模式図である。
【図２】図１に示した送信装置に含まれる発電部を模式的に示した図である。
【図３】図１に示した送信装置と、この送信装置と無線通信可能なサーバ装置とを含む通信システムを示したブロック図である。
【図４】変形例に係る発電部を模式的に示した図である。
【発明を実施するための形態】
【００１５】
本発明の一実施形態の送信装置は、遊技機に取り付けられるものであり、当該遊技機の扉（開閉体）が開閉操作された場合、開閉操作が行われたことを示す開閉操作信号をサーバ装置に無線通信するものである。なお、本明細書において、開閉操作とは、遊技機の扉を開く開操作および遊技機の扉を閉じる閉操作のうちの少なくとも一方の操作を指す。つまり、「開閉操作が行われた」とは、開操作および閉操作のうちの少なくとも一方が行われたことを意味する。以下、図面を参照して本実施形態の通知装置を説明する。
【００１６】
図１は、本実施形態の送信装置の外観と、この送信装置を取り付けている遊技機の一部とを示した模式図であり、特に遊技機に取り付けられている状況の送信装置を示す図面である。図２は、図１に示した送信装置に含まれる発電部を模式的に示した図である。図３は、図１に示した送信装置と、送信装置と無線通信可能なサーバ装置とを含む送信システムを示したブロック図である。
【００１７】
通常、ホール（遊技店）には、数百台の遊技機と、ホールを管理するためのサーバ装置とが設置されている。そこで、本実施形態では、図１に示すように、ホールに設置される各遊技機５０に送信装置１０を取り付け、図３に示すように、送信装置１０からサーバ装置３００へ信号の無線送信処理を可能にした送信システム６００を構築している。なお、図３では、送信装置１０は、便宜上、１台のみしか示されていないが、数百台の遊技機がホールに設置されていることから、実際には、送信システム５００は数百台の送信装置１０を含む構成であり、サーバ装置３００は数百台の送信装置１０の各々から無線にて信号を受信可能になっている。
【００１８】
まず、送信装置１０について詳細に説明する。送信装置１０は、図１に示すように、遊技機５０の扉５０１と対向するように遊技機５０の本体５０２に取り付けられており、扉５０１が開閉操作された場合に、開閉操作されたことを示す開閉操作信号を出力する装置である。
【００１９】
送信装置１０は、図３に示すように、発電部１０１と無線送信部１０２とを備える。まず、発電部１０１の構成について詳細に説明する。
【００２０】
発電部１０１は、扉５０１が開閉操作された場合に発電する発電装置である。発電部１０１は、図２に示すように、ピン１０１ａと、永久磁石１０１ｂと、コイル１０１ｃとを備えている。
【００２１】
ピン１０１ａは、図１および図２に示すように、送信装置１０の内部から外部に突出するように送信装置１０に取り付けられている。永久磁石１０１ｂは、送信装置１０の内部に取り付けられており、ピン１０１ａの端部に固定されている。
【００２２】
ピン１０１ａおよび永久磁石１０１ｂは、扉５０１の開閉操作が行われると扉５０１の動きに連動して移動するようになっている。この点について以下詳細に説明する。
【００２３】
図１に示すように、扉５０１が開いていて、ピン１０１ａと扉５０１とが離れている場合、ピン１０１ａは図２に示すポジションＰ１に位置し、永久磁石１０１ｂは図２のポジションＰ３に位置している。
【００２４】
ここで、扉５０１に対して閉操作が行われると、扉５０１とピン１０１ａとが接触し、ピン１０１ａは扉５０１に押圧されることによって送信装置１０の内部に押し込まれ、図２に示すポジションＰ１からポジションＰ２へ向けて移動するようになっている。このとき、永久磁石１０１ｂは、ピン１０１ａに押されるようにして、ポジションＰ３からポジションＰ４に向けて移動する。
【００２５】
そして、扉５０１が完全に閉ざされると、ピン１０１ａは、ポジションＰ２に到達して、図示しないストッパによってポジションＰ２にて静止し、永久磁石１０１ｂは、ポジションＰ４に到達して、図示しないストッパによってポジションＰ４に静止するようになっている。
【００２６】
さらに、扉５０１に対して開操作が行われると、ピン１０１ａは、ポジションＰ２からポジションＰ１へ向けた方向に移動し、永久磁石１０１ｂは、ピン１０１ａに引っ張られるようにして、ポジションＰ４からポジションＰ３に向けて移動する。なお、ピン１０１ａは図示しない弾性体に支持されており、この弾性体の弾性力によって、扉５０１に対して開操作が行われた場合にピン１０１ａおよび永久磁石１０１ｂが移動するようになっている。
【００２７】
そして、ピン１０１ａは、ポジションＰ１に到達すると、図示しないストッパによってポジションＰ１にて静止する。永久磁石１０１ｂは、ポジションＰ３に到達すると、図示しないストッパによってポジションＰ３に静止する。
【００２８】
つまり、永久磁石１０１ｂは、扉５０１が完全に閉ざされている時にはポジションＰ４にて静止し、扉５０１が遊技機５０から一定間隔以上開いている状態の時にはポジションＰ３にて静止しているが、扉５０１に対して閉操作が行われている場合、ポジションＰ３からポジションＰ４へ向けて移動し、扉５０１に対して開操作が行われている場合、ポジションＰ４からポジションＰ３へ向けて移動するようになっている。
【００２９】
つぎに、コイル１０１ｃについて説明する。コイル１０１ｃは、送信装置１０の内部において、永久磁石１０１ｂが移動する領域の近傍に取り付けられている。また、図２のように、コイル１０１ｃの内側には磁性体（鉄心）が挿入されている。なお、永久磁石１０１ｂがポジションＰ４で静止している場合、永久磁石１０１ｂは当該磁性体に接触するようになっている。
【００３０】
コイル１０１ｃは、永久磁石１０１ｂがポジションＰ３とポジションＰ４との間を移動すると電磁誘導によって発電するようになっている。つまり、コイル１０１ｃは、扉５０１の開閉操作によって生じる運動エネルギーから電気を発生させていることになる。
【００３１】
また、コイル１０１ｃは、無線送信部１０２と電気的に接続されており、発電により生じた電気を図３の無線送信部１０２に供給するようになっている。
【００３２】
なお、永久磁石１０１ｂがポジションＰ３からポジションＰ４へ移動する場合にコイル１０１ｃから生じる電流の方向は、永久磁石１０１ｂがポジションＰ４からポジションＰ３へ移動する場合にコイル１０１ｃから生じる電流の方向と逆向きの関係になる。つまり、扉５０１が閉操作された場合に生じる電流の方向は、扉５０１が開操作された場合に生じる電流の方向と逆向きである。
【００３３】
つぎに、無線送信部１０２について説明する。無線送信部１０２は、サーバ装置３００に対して信号を無線で送信する無線送信機（無線通信基板）である。具体的には、無線送信部１０２は、コイル１０１ｃから電気が供給されてきた場合（つまり発電部１０１が発電した場合）、送信装置１０の個体識別ＩＤ（識別情報）を示す信号を、開閉操作が行われたことを示す開閉操作信号として、サーバ装置３００に送信している。そして、後に詳述するが、サーバ装置３００は、送信装置１０から開閉操作信号を受信した場合、当該開閉操作信号に示されている個体識別ＩＤに対応する送信装置１０を取り付けている遊技機５０にて開閉操作が行われたものと判定するようになっている。
【００３４】
つぎに、図３のサーバ装置３００について説明する。サーバ装置３００は、ホール（遊技店）にて遊技機５０の外部に設置されており、ホール全体を管理するための管理用コンピュータである。サーバ装置３００は常時起動されている。
【００３５】
サーバ装置３００は、図３に示すように、無線受信部３０１と情報処理部３０２とを備えている。
【００３６】
無線受信部３０１は、各遊技機５０に取り付けられている送信装置１０の無線送信部１０２から無線送信されてくる開閉操作信号を受信し、この開閉操作信号を情報処理部３０２に伝達する無線受信機（無線通信基板）である。
【００３７】
情報処理部３０２は、ＣＰＵ（Central Processing Unit）を備えるコンピュータにて実現されるものであり、図示しない記憶部に記憶されている各種情報およびプログラムによって各種情報処理を行うブロックである。
【００３８】
具体的には、情報処理部３０２は、開閉判定部３０２ａおよび対策処理部３０２ｂを備えている。
【００３９】
開閉判定部３０２ａは、無線受信部３０１から開閉操作信号が伝達されてくると、この開閉操作信号に示される個体識別ＩＤに対応する送信装置１０を取り付けている遊技機５０にて開閉操作が行われたものと判定するブロックである。具体的には、サーバ装置３００の記憶部（不図示）に、遊技機を識別する遊技機ＩＤと遊技機に取り付けられている送信装置１０の個体識別ＩＤとの対応関係を示したテーブルを予め記憶させておく。そして、開閉判定部３０２ａは、無線受信部３０１から開閉操作信号が伝達されると、この開閉操作信号に示される個体識別ＩＤに対応する遊技機ＩＤを前記テーブルから読み出し、この遊技機ＩＤの遊技機にて開閉操作が行われたと判定するようになっている。
【００４０】
また、開閉判定部３０２ａは、開閉操作が行われたと判定すると、この開閉操作が行われた遊技機５０の遊技機ＩＤを対策処理部３０２ｂに伝達するようになっている。
【００４１】
対策処理部３０２ｂは、開閉操作に対する対策処理を行うブロックである。具体的には、対策処理部３０２ｂは、開閉判定部３０２ａから遊技機ＩＤが伝達されてくると、通知ネットワーク（インターネット等）を介して、警備会社の監視コンピュータに、遊技機ＩＤの遊技機にて不正行為がなされていることを示す情報を送信するようになっている。あるいは、対策処理部３０２ｂは、開閉判定部３０２ａから遊技機ＩＤが伝達されてくると、自動電話システムを利用して警備会社に電話し、遊技機ＩＤの遊技機にて不正行為がなされていることを示す音声案内を出力するようになっていてもよい。
【００４２】
また、対策処理部３０２ｂは、開閉判定部３０２ａから遊技機ＩＤが送られてくると、ホール内の各監視カメラを制御して、前記遊技機ＩＤの遊技機の撮影を監視カメラに行わせるようになっていてもよい。この場合、撮影画像はサーバ装置３００の記憶部に記憶されることになる。
【００４３】
以上の実施形態によれば、前記開閉操作が行われると、前記開閉操作に起因して生じる運動エネルギーに基づいて電気を発生させ、この電気を用いて、開閉操作がなされたことを示す開閉操作信号をサーバ装置３００へ送信している。したがって、夜間において遊技機５０の電源オフの間に不正者によって扉５０が開閉操作された場合であっても、前記開閉操作が行われた事をサーバ装置３００に即時に把握させることになり、警備会社等へ即時に通報可能になる。これにより、夜間のホール休業中であっても前記開閉操作が即時に発覚するという効果を奏する。
【００４４】
また、本実施形態では、送信装置１０の個体識別ＩＤを示す信号を、前記開閉操作信号として、サーバ装置３００へ送信している。それゆえ、開閉操作が行われた遊技機５０をサーバ装置３００に特定させることができるという効果を奏する。すなわち、サーバ装置３００は、遊技機を識別する遊技機ＩＤと、遊技機に取り付けられている送信装置１０の個体識別ＩＤとの対応関係を示すテーブル等を参照することによって、受信した開閉操作信号に示される個体識別ＩＤに対応する送信装置１０が取り付けられている遊技機５０を特定でき、このように特定された遊技機５０が開閉操作された遊技機５０となる。
【００４５】
また、本実施形態の構成によれば、開閉操作された場合に即時に対策処理を講じているため（警備会社への通報等）、不正者を捕える可能性が上がり、再発防止および不正防止に繋がる。
【００４６】
さらに、本実施形態の構成によれば、開閉操作が行われたことを示す情報を遊技機５０内部の記憶装置（ＲＡＭ等）に記録するのではなく、前記開閉操作が行われた事を即時にサーバ装置３００並びに警備会社等に伝達していることになり、開閉操作を行った不正者が遊技機５０の内部の記憶装置の記録無効化を行っても、開閉操作を行った事に対する証拠隠滅が困難となる。
【００４７】
また、送信装置１０は、電源、電源用配線およびデータ収集用配線が不要である。それゆえ、新たな配線を追加することなく、既存の遊技機に送信装置１０を簡単に取り付け可能である。つまり、低コストで送信装置１０を遊技機に導入できる。また、電源用配線およびデータ収集用配線が不要であるため、定期的な遊技機の入替時において送信装置１０の付け替えを容易に行えるため、半永久的な再利用が可能となる。言い換えると、本実施形態の送信装置１０は、電源、電源用配線およびデータ収集用配線が不要であるため、設置場所の自由度も高く、増設や移設を容易に行うことができる。
【００４８】
さらに、送信装置１０を既存の遊技機に簡単に取り付け可能であるということは、送信装置１０の取り付けのための休業が不要であり、当該休業による売り上げ損失は生じない。
【００４９】
また、サーバ装置３００の対策処理部３０２ｂは、開閉判定部３０２ａから遊技機ＩＤが伝達されてくると、この遊技機ＩＤの遊技機にて開閉操作が行われたことを示す不正行為情報と開閉操作信号の受信時刻を示す時刻情報とを紐づけてサーバ装置３０２の記憶部に保存してもよい。
【００５０】
なお、遊技機は、通常、外側の扉（開閉体）のみならず、内側の本体枠（開閉体）も開閉可能になっている。そこで、遊技機において、扉の開閉操作に応じてピン１０１ａを移動させることが可能な位置に第１の送信装置１０を取り付け、且つ、本体枠の開閉操作に応じてピン１０１ａを移動させることが可能な位置に第２の送信装置１０を取り付けてもよい。これにより、前扉の開閉操作および本体枠の開閉操作のいずれが行われてもサーバ装置３００に送信装置１０の識別信号が送信される。勿論、本体枠の開閉操作に応じてピン１０１ａを移動させることが可能な位置のみに送信装置１０を取り付けるようになっていてもよい。
【００５１】
[変形例１]
発電部にて電磁誘導を引き起こすための永久磁石の移動速度は、遊技機の扉や送信装置のピンの移動速度に関係なく一定であることが理想である。これは、電磁誘導の起電力が永久磁石の移動速度に依存するからである。そこで、本変形例では、以上にて説明した実施形態よりも永久磁石の移動速度が一定に近くなるような発電部の構成を説明する。なお、本変形例は、図１〜図３の送信装置と比べて発電部の内部構成のみが相違するため、発電部のみ説明し、他の部材については同じ符号を付してその説明を省略する。
【００５２】
図４は、本変形例の発電部を示す模式図である。具体的には、図４（ａ）は、閉操作中の場合の発電部を示しており、図４（ｂ）は、閉状態の場合の発電部を示しており、図４（ｃ）は、開操作中の場合の発電部を示しており、図４（ｄ）は、開状態の場合の発電部を示している。なお、開状態とは、扉５００が一定間隔以上開いている状態であり、具体的には発電部２０１のピン２０１ａと扉５００とが離間している状態を指す。閉状態とは、扉５００が完全に閉ざされている状態を指す。
【００５３】
以下、図４の発電部２０１の構成を具体的に説明する。発電部２０１は、扉５０１が開閉操作された場合に発電する発電装置である。発電部２０１は、図４（ａ）に示すように、ピン２０１ａと、永久磁石２０１ｂと、コイル２０１ｃと、磁性体２０１ｄ・２０１ｅ・２０１ｆと、第１弾性部材２０１ｇと、第２弾性部材２０１ｈとを備えている。なお、第１弾性部材２０１ｇおよび第２弾性部材２０１ｈとしては、スプリングバネが用いられるが、弾性体であればスプリングバネに限定されるものではない（他の種類のバネやゴム等でもよい）。
【００５４】
ピン（移動体）２０１ａは、図１のピン１０１ａと同様に、送信装置１０の内部から外部に突出するように送信装置１０に取り付けられている。ピン２０１ａは、図４（ａ）（ｂ）に示されるように、閉操作中および閉状態において、扉５０１に押圧されることによってＡ方向の押圧力が付与される。また、ピン２０１ａは、第２弾性部材２０１ｈに支持されており、Ａ方向とは逆向きのＢ方向の弾性力が第２弾性部材２０１ｈから常に与えられている。
【００５５】
以上のように構成されるピン２０１ａは、開状態から閉状態に移行するように閉操作が行われている間、扉５０１に押圧されることによってＡ方向に移動する。また、閉状態においては図示しないストッパと扉５０１の押圧力とによってピン２０１ａは静止する。これに対し、閉状態から開状態に移行するように開操作が行われている間、ピン２０１ａは、第２弾性部材２０１ｈの弾性力によってＢ方向に移動するようになっている。そして、開状態においては、図示しないストッパと第２弾性部材２０１ｈの弾性力とによって、ピン２０１ａは静止する。
【００５６】
磁性体（第２磁性体）２０１ｄ・２０１ｅは、鉄等の磁性を有する金属であり、移動しないように固定されている。磁性体２０１ｄ・２０１ｅは、図４（ｄ）に示すように開状態において永久磁石２０１ｂを吸着することにより、ポジションＰ５に永久磁石２０１ｂを静止させる部材である。ポジションＰ５は、図４（ａ）に示すように、磁性体２０１ｄ・２０１ｅよりもＡ方向側に位置する。
【００５７】
磁性体（第１磁性体）２０１ｆは、鉄等の磁性を有する金属であり、図４に示すようにコイル２０１ｃに挿入され、移動しないように固定されている。また、磁性体２０１ｆは、少なくとも閉状態において、図４（ｂ）に示すように永久磁石２０１ｂを吸着することによりポジションＰ６に永久磁石２０１ｂを静止させるようになっている。ポジションＰ６は、図４（ｂ）に示すように、磁性体２０１ｆよりもＢ方向側に位置する。
【００５８】
なお、ポジションＰ５・Ｐ６は、磁性体２０１ｄ（または磁性体２０１ｅ）と磁性体２０１ｆとの間に位置し、ポジションＰ５は、ポジションＰ６よりも磁性体２０１ｄ（または磁性体２０１ｅ）側に位置し、ポジションＰ６は、ポジションＰ５よりも磁性体２０１ｆ側に位置する。
【００５９】
第１弾性部材（弾性部材）２０１ｇは、一方の端部側がピン２０１ａに取り付けられており、他方の端部側が永久磁石２０１ｂに取り付けられている。
【００６０】
永久磁石（磁石）２０１ｂは、ピン２０１ａがポジションＰ７またはポジションＰ８に到達したときに移動する磁石である。具体的には、図４（ａ）（ｂ）に示すように、閉操作が行われている間にピン２０１ａがポジションＰ７に到達した場合、磁性体２０１ｄ・２０１ｅから外れて磁性体２０１ｆに吸着することにより、ポジションＰ５からポジションＰ６へ移動するようになっている。また、図４（ｃ）（ｄ）に示すように、永久磁石２０１ｂは、開操作が行われている間にピン２０１ａがポジションＰ８に到達した場合、磁性体２０１ｆから外れて磁性体２０１ｄ・２０１ｅに吸着することにより、ポジションＰ６からポジションＰ５へ移動するようになっている。以下では、永久磁石２０１ｂの移動について詳細に説明する。
【００６１】
最初に、図４（ｄ）に示す開状態では、第１弾性部材２０１ｇが復元状態になっていると共に、永久磁石２０１ｂが磁性体２０１ｄ・２０１ｅに吸着されてポジションＰ５に位置している。ここで、閉操作が開始されると、図４（ａ）に示されるように、永久磁石２０１ｂがポジションＰ５において静止している一方で、ピン２０１ａがＡ方向へ移動し、これに応じて第１弾性部材２０１ｇが圧縮されていき、第１弾性部材２０１ｇから永久磁石２０１ｂに作用する弾性力Ｃ（復元力）は増大していく。弾性力ＣはＡ方向と同じ向きの力である。
【００６２】
また、図４（ａ）に示すように、Ａ方向へ移動中のピン２０１ａがポジションＰ７に到達するまでは、永久磁石２０１ｂは磁性体２０１ｄ・２０１ｅの吸着力によりポジションＰ５にて静止している。ところが、Ａ方向へ移動中のピン２０１ａがポジションＰ７（第２所定位置）に到達すると、弾性力Ｃ（第２弾性力）が極めて強くなり、弾性力Ｃ、および、磁性体２０１ｆと永久磁石２０１ｂとの間に生じる磁力によって、永久磁石２０１ｂが磁性体２０１ｄ・２０１ｅから離されて移動して磁性体２０１ｆに吸着する。つまり、永久磁石２０１ｂはポジションＰ５からポジションＰ６へ移動する。そして、図４（ｂ）に示すように、永久磁石２０１ｂがポジションＰ６に到達すると、第１弾性部材２０１ｇは復元状態に戻り、扉５０１が完全に閉ざされて閉状態となる。
【００６３】
続いて、図４（ｂ）の閉状態から開操作が開始されると、図４（ｃ）に示すように、永久磁石２０１ｂがポジションＰ６において静止している一方で、ピン２０１ａがＢ方向へ移動し、これに応じて第１弾性部材２０１ｇが伸張されていき、第１弾性部材２０１ｇから永久磁石２０１ｂに作用する弾性力Ｄ（復元力）は増大していく。弾性力ＤはＢ方向と同じ向きの力である。
【００６４】
また、図４（ｃ）に示すように、Ｂ方向へ移動中のピン２０１ａがポジションＰ８に到達するまでは、永久磁石２０１ｂはポジションＰ６にて静止している。ところが、Ｂ方向へ移動中のピン２０１ａがポジションＰ８（第１所定位置）に到達すると弾性力Ｄ（第１弾性力）が極めて強くなり、弾性力Ｄ、および、磁性体２０１ｄ・２０１ｅと永久磁石２０１ｂとの間に生じる磁力によって、永久磁石２０１ｂが磁性体２０１ｆから離されて移動して磁性体２０１ｄ・２０１ｅに吸着する。つまり、永久磁石２０１ｂはポジションＰ６からポジションＰ５へ移動する。そして、図４（ｄ）に示すように、永久磁石２０１ｂがポジションＰ５に到達すると、第１弾性部材２０１ｇは復元状態に戻り、ピン２０１ａから扉５００が離間して開状態となる。
【００６５】
つぎに、コイル２０１ｃを説明する。コイル２０１ｃは、永久磁石２０１ｂがポジションＰ５とポジションＰ６との間を移動すると電磁誘導によって発電するようになっている。なお、コイル２０１ｃは、図２に示すコイル１０１ｃと同様、無線送信部１０２と電気的に接続されており、発電により生じた電気を無線送信部１０２に供給する。
【００６６】
以上にて説明した図４の発電部２０１によれば、ピン２０１ａがポジションＰ７またはポジションＰ８に到達するまでは永久磁石２０１ｂは移動せず、ピン２０１ａがポジションＰ７またはポジションＰ８に到着すると、弾性力のみならず磁力によって永久磁石２０１ｂが一気に移動するようになっている。そのため、永久磁石２０１ｂの移動速度を略一定化でき、電磁誘導による起電力を安定化させることが可能になる。
【００６７】
[変形例２]
以上にて説明した実施形態によれば、遊技機５０が電源オフの時だけではなく、遊技機５０が電源オンの時にも、開閉操作が行われると、送信装置１０からサーバ装置３００へ開閉操作信号が送信されることになる。
【００６８】
しかし、遊技機５０の電源オン時の開閉操作は、殆どが店員によるものであるため、不正行為であることは極めて稀である。それゆえ、電源オンの時には、開閉操作が行われても、サーバ装置３００の対策処理部３０２ｂによる対策処理（警備会社への通報、監視カメラによる撮影等）が行われないようにしてもよい。この点を以下に説明する。
【００６９】
まず、ホールにおいて従業員も退店している時間帯を示す時間帯情報をサーバ装置３００の記憶部（不図示）に記憶させておく。そして、対策処理部３０２ｂは、開閉判定部３０２ａから遊技機ＩＤが送られてくると、現在時刻が前記時間帯情報に示される時間帯に含まれる場合に限り対策処理を行うようになっている。つまり、対策処理部３０２ｂは、現在時刻が前記時間帯情報に示される時間帯に含まれない場合、開閉判定部３０２ａから遊技機ＩＤが送られてきても、対策処理を行わない。これにより、遊技機の電源オン時において対策処理部３０２ｂによる対策処理が行われることはない。
【００７０】
また、ホールの店員がサーバ装置３００に対して警戒モードを設定している間のみ、対策処理部３０２ｂは開閉判定部３０２ａから遊技機ＩＤが送られてきた時に対策処理を行うようになっていてもよい。つまり、ホールの最終退出者がサーバ装置３００に警戒モードを設定した上でホールから退出し、ホールに最初に出勤した者がサーバ装置３００を操作して警戒モードを解除すれば、遊技機の電源オン時において対策処理部３０２ｂによる対策処理が行われることを抑制できる。
【００７１】
また、サーバ装置３００は、全ての遊技機５０と接続されており、全ての遊技機について電源がオンか否かを判定可能になっていてもよい。この場合、対策処理部３０２ｂは、開閉判定部３０２ａから遊技機ＩＤが送られてくると、当該遊技機ＩＤの遊技機の電源がオンか否かを判定し、電源がオンであれば対策処理を行わず、電源がオフであれば対策処理を行うようになっていてもよい。
【００７２】
あるいは、遊技機５０の電源がオンの時には、開閉操作が行われても、送信装置１０からサーバ装置３００への識別情報の送信が行われないようになっていてもよい。この場合、送信装置１０と遊技機５０の電源回路とを配線接続し、無線送信部１０２が、遊技機５０の電源がオンか否かを判定できるようにする必要がある。つまり、開閉操作が行われることで発電部１０１から無線送信部１０２に電気が送られると、無線送信部１０２は、遊技機５０の電源がオンか否かを判定し、電源がオンであれば識別信号の送信を行わず、電源がオフの場合にのみ識別信号の送信を行うようになっていてもよい。
【００７３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７４】
本発明は扉等の開閉体を備える遊技機に利用できる。
【符号の説明】
【００７５】
１０    送信装置
５０    遊技機
１０１    発電部
１０２    無線送信部
２０１    発電部
２０１ａ  ピン（移動体）
２０１ｂ  永久磁石（磁石）
２０１ｃ  コイル
２０１ｄ  磁性体（第２磁性体）
２０１ｅ  磁性体（第２磁性体）
２０１ｆ  磁性体（第１磁性体）
２０１ｇ  第１弾性部材（弾性部材）
２０１ｈ  第２弾性部材
３００    サーバ装置
３０１    無線受信部
３０２    情報処理部
３０２ａ  開閉判定部
３０２ｂ  対策処理部
５０１    扉（開閉体）
５０２    本体
６００    送信システム
Ｐ７    ポジション（第２所定位置）
Ｐ８    ポジション（第１所定位置）
【図１】
2014121485.tif 000003
【図２】
2014121485.tif 000004
【図３】
2014121485.tif 000005
【図４】
2014121485.tif 000006